(57)【要約】【課題】製造コストの削減が期待でき、作業工数も少なく、製品本来のデザインを損なわずに固定できる技術を提供する。【解決手段】片面に粘着材を形成したシート状の絶縁部材からなり、電子機器に固定する機器当接面を有する片と、プラグのコネクタに巻き付けて固着するプラグ当接面を有する片と、機器当接面を有する片と、プラグ当接面を有する片を繋ぐ接合片を有するプラグ抜け防止器具。【選択図】図１
2019197638.tif 000002
【特許請求の範囲】
【請求項１】
プラグ抜け防止器具であって、
片面に粘着材が形成されたシート状の絶縁部材から構成され、
前記シート状の絶縁部材は、
電子機器の表面に張り付けられる横方向に延びた第１の片、プラグの周囲に巻き付けられる横方向に延びた第２の片と、前記第１の片の中央部から前記第２の片の一端部に向けて縦方向に延び、前記第１の片と前記第２の片を連結する第３の片、を有する
ことを特徴とするプラグ抜け防止器具。
【請求項２】
プラグ抜け防止器具であって、
片面に粘着材が形成されたシート状の絶縁部材から構成され、
前記シート状の絶縁部材は、
電子機器の表面に張り付けられ長方形の片、当該長方形の片の一方から外側へ突き出るように構成され、プラグの周囲に巻き付けられる突出し片、を有し、
前記長方形の片は、
プラグが挿入される四角の貫通孔が形成され、
前記突出し片の両端面側から長方形の片へ延びる切込みが形成され、前記プラグを両サイドから挟むように構成される複数の機器当接面を構成し、
前記突出し片は、
中央部から２分割されるように前記長方形の片へ延びる切込みが形成され、前記プラグに巻き付けられるプラグ当接面を構成する
ことを特徴とするプラグ抜け防止器具。
【請求項３】
プラグ抜け防止器具であって、
片面に粘着材が形成され、かつ、一対のシート状の絶縁部材から構成され、
前記シート状の絶縁部材の一方は、
電子機器の表面に張り付けられる横方向に延びた第１の片、プラグの周囲に巻き付けられる横方向に延びた第２の片と、前記第１の片の中央部から前記第２の片の一端部に向けて縦方向に延び、前記第１の片と前記第２の片を接合する第３の片、を有し、
他方のシート状の絶縁部材は、
前記電子機器の表面に張り付けられる横方向に延びた第４の片、前記プラグの周囲に巻き付けられる横方向に延びた第５の片と、前記４の片の中央部から第５の片の一端部に向けて縦方向に延び、前記第４の片、前記第５の片を連結する第６の片、を有し、
前記第３の片と前記第６の片は、丈が異なり、前記第３の片の丈は、前記第４の片の丈さよりも大きく構成されている、
ことを特徴とするプラグ抜け防止器具。
【発明の詳細な説明】
【技術分野】
【０００１】
本発明は、例えば、電子機器に取り付けたプラグの抜けを防止するプラグ抜け防止器具に関する。
【背景技術】
【０００２】
プラグ抜け防止器具として、例えば、実用新案登録第３１４３８７９号公報（特許文献１）、特許第６１９２５１７号公報（特許文献２）に記載された技術がある。特許文献１の公報には「機器のコネクタに差し込んだプラグが抜けないようにするプラグ抜けプラグ抜け防止装置Ａであって、装置本体１はプラグを側面から挟持する挟持片４と、該挟持片４に直交する方向に配置され、機器の壁面に当接する当接片５とで構成されるとともに、上記当接片５の上記機器に当接する当接面５ａには上記機器の壁面に接着する接着部材３を設け、上記装置本体１が上記挟持片４でプラグを挟持した状態を保持部材２で保持する」との記載があり、特許文献２の公報には「Ｕ字形のワイヤ１１の曲折部１１ａを２枚の薄片１２，１３で挟み込んでプラグ保持具１０を構成し、前記薄片１２，１３を機器類３０に固着させるとともに、前記ワイヤ１１の両端をプラグ４０に巻き付ける」との記載がある。
【先行技術文献】
【特許文献】
【０００３】
【特許文献１】実用新案登録第３１４３８７９号公報
【特許文献２】特許第６１９２５１７号公報
【発明の概要】
【発明が解決しようとする課題】
【０００４】
特許文献１、２では、プラグを保持、固定するため、「粘着部材」や「保持部材」、「ワイヤ」、「薄片」など、少なくとも２つ以上の部材を準備する必要があり、製造コストが嵩む課題がある。また、プラグ抜け防止器具をプラグに取り付ける際、各部材を適切に接着する必要があり、作業工数も増える課題がある。さらに、複数の部材をプラグに取り付けるので、製品（プラグ）本来のデザインを損ねる可能性があった。
そこで、本発明では、係る課題に鑑み、製造コストの削減が期待でき、作業工数も少なく、製品本来のデザインを損なわずにプラグを固定できる技術を提供することを目的とする。
【課題を解決するための手段】
【０００５】
上記課題を解決するために、代表的な本発明のプラグ抜け防止器具の一つは、
電子機器のコネクタに差し込んで取り付けられたプラグの抜けを防止するプラグ抜け防止器具であって、
片面に粘着材を形成したシート状の絶縁部材からなり、前記電子機器に固定する機器当接面を有する片と、前記プラグのコネクタに巻き付けて固着するプラグ当接面を有する片と、前記プラグ当接面を有する片を繋ぐ接合片を有することを特徴とする。
【発明の効果】
【０００６】
本発明によれば、プラグ抜け防止器具は、粘着部材を加工するだけで形成できるので大幅な製造コスト削減が期待できる。さらに粘着部材は接着面を機器の壁面に接着させ、プラグに巻きつけるだけで簡単に取り付けられるので作業工数も少ない。さらに、粘着部材なので、製品本来のデザインをほとんど損なわずに固定できる。
上記した以外の課題、構成および効果は、以下の実施形態の説明により明らかにされる。
【図面の簡単な説明】
【０００７】
【図１】図１は、本発明のプラグ抜け防止器具の一構成例を示す斜視図である。
【図２】図２は、図１のプラグ抜け防止器具を電子機器とプラグに取り付ける様子を説明する斜視図である。
【図３】図３は、図１のプラグ抜け防止器具の取付過程の様子を示す斜視図である。
【図４】図４は、図１のプラグ抜け防止器具を電子機器とプラグに取り付けた状態を示す斜視図である。
【図５】図５は、本発明のプラグ抜け防止器具の他の構成例を示す斜視図である。
【図６】図６は、図５のプラグ抜け防止器具を電子機器とプラグに取り付ける様子を説明する斜視図である。
【図７】図７は、図５のプラグ抜け防止器具を電子機器とプラグに取り付けた状態を示す上面図である。
【図８】図８は、図５のプラグ抜け防止器具の取付過程の様子を示す斜視図である。
【図９】図９は、図５のプラグ抜け防止器具をプラグに取り付けた状態を示す斜視図である。
【図１０】図１０は、本発明のプラグ抜け防止器具のさらに他の構成例を示す斜視図である。
【図１１】図１１は、図１０のプラグ抜け防止器具から一対のプラグ抜け防止器具を形成した斜視図である。
【図１２】図１２は、図１１のプラグ抜け防止器具の取付過程の様子を示す斜視図である。
【図１３】図１３は、図１１のプラグ抜け防止器具を電子機器とプラグに取り付けた状態を示す斜視図である。
【図１４】図１４は、図１１のプラグ抜け防止器具の取付過程の様子を示す斜視図である。
【図１５】図１５は、図１１のプラグ抜け防止器具を電子機器とプラグに取り付けた状態を示す斜視図である。
【発明を実施するための形態】
【０００８】
以下、本発明の実施例について図面を参照して説明する。
【実施例１】
【０００９】
図１は、本発明のプラグ抜け防止器具１の一構成例を示す斜視図、図２〜図４は、本発明のプラグ抜け防止器具１と電子機器３、プラグ２との関係を説明する斜視図である。
【００１０】
プラグ抜け防止器具１は、片面に粘着材（接着面）が形成された粘着絶縁部材１０から構成されている。粘着絶縁部材１０は、例えば、粘着シートや粘着テープからなる。本例では、粘着絶縁部材１０を粘着シートとして説明する。
粘着シート（粘着絶縁部材１０）は、電子機器３の表面に張り付けられる横方向に延びた短い帯状の片１１、プラグ２の周囲に巻き付けられる横方向に延びた長い帯状の片１２と、短い帯状の片１１の中央部から長い帯状の片１２の一端部に向けて縦方向に延び、２つの片１１、１２を連結している丈（高さ）を構成する接合片１３、を有する。
【００１１】
短い帯状の片１１の片面、つまり、図２に示すように電子機器３に対向する面は、電子機器３のプラグ取り付け面に貼り付けて取り付けられる機器当接面１１１を構成している。
【００１２】
長い帯状の片１２の片面、つまり、図３に示すようにプラグ２のプラグ部２１に巻き付けられるようにして貼付けて取り付けられるプラグ当接面１２１を構成している。
【００１３】
本発明のプラグ抜け防止器具１は、図４に示すように短い帯状の片１１の片面の機器当接面１１１を電子機器３に貼り付けて取り付け、長い帯状の片１２の片面のプラグ当接面１２１をプラグ２のプラグ部２１の周囲に巻き付けるように貼付けて取り付ける。これにより、プラグ２の電子機器３からの抜けを防止できるとともに、電子機器３の使用時のいけるデザインを損ねることなく、製造コストの削減、作業工数の軽減、などを図ることができる。
【実施例２】
【００１４】
本実施例は、プラグ抜け防止器具１の電子機器３への取り付けをより強固になし得るようにしたものである。
【００１５】
すなわち、実施例１では、電子機器３側のデザインによって、プラグ抜け防止器具１の機器当接面１１１の面積が十分に確保できず、プラグ抜け防止器具１の粘着力が低下し、プラグ２が外れてしまう場合が想定されるが、実施例２では、係る課題を是正するためのものである。
【００１６】
図５は、本発明のプラグ抜け防止器具１の他の構成例を示す斜視図、図６、図８、図９は、本発明のプラグ抜け防止器具１と電子機器３、プラグ２との関係を説明する斜視図、図７は、上面図である。
【００１７】
同図において、プラグ抜け防止器具１は、実施例１と同様に、片面に粘着材が形成された粘着シート（粘着絶縁部材１０）から構成されている。そして、粘着シートは、電子機器３の表面に張り付けられる長方形の片１４、長方形の片１４の一方から外側へ突き出るように構成された突出し片１５、を有する。
【００１８】
長方形の片１４は、プラグ２が挿入される四角の貫通孔１４１が形成されている。また、突出し片１５の両端面側から長方形の片１４へ延びる切込み１４２、１４３が形成されている。
そして、プラグ２を両サイドから挟むように構成された複数の機器当接面を構成している。つまり、複数の機器当接面とは、貫通孔１４１の両側（図５の上下側）および突出し片１５と反対側（図５の右側）の面に位置し、電子機器３およびプラグ２に取り付けたとき、前記プラグを両サイドから挟むように構成される面である。本例では３つの機器当接面を示している。
【００１９】
また、突出し片１５は、その中央から２分割されるように長方形の片１４へ延び、２つの片１５１、１５２を構成する切込み１５３が形成されている。
そして、これらのプラグ抜け防止器具１の長方形の片１４、突出し片１５は、図６〜図９に示すようにプラグ２の周囲を取り囲むように取り付けられる。
【００２０】
本実施例によれば、機器当接面を大きくなるように構成（図７の斜線で示す部分が機器機器当接面）しているため、電子機器３のデザイン上、機器当接面の面積があまり確保できない場合であっても、粘着力を確保することができる。
【実施例３】
【００２１】
本実施例は、プラグ抜け防止器具１のプラグ２への取り付けをより強固になし得るようにしたものである。
【００２２】
すなわち、実施例１では、プラグ２側の形状によって、プラグ抜け防止器具１の機器当接面の面積が十分に確保できず、プラグ抜け防止器具１の粘着力が低下し、プラグ２が外れてしまう場合が想定さられるが、実施例３では、係る課題を是正するためのものである。
【００２３】
図１０および図１１は、本発明のプラグ抜け防止器具１（１ａ、１ｂ）の他の構成例を示す斜視図、図１２〜図１５は、本発明のプラグ抜け防止器具１（１ａ、１ｂ）と電子機器３、プラグ２との関係を説明する斜視図である。
【００２４】
プラグ抜け防止器具１は、実施例１、２と同様に、片面に粘着材が形成され、かつ、一対のシート状の絶縁部材１ａ、１ｂから構成されている。
一対のシート状の絶縁部材１ａ、１ｂは、例えば、図１０に示すような形に形成したあと、一点鎖線に沿って分断して構成するとよい。
そして、一方のシート状の絶縁部材１ａは、電子機器３の表面に張り付けられる横方向に延びた帯状の片１６ａ、プラグ２の周囲に巻き付けられる横方向に延びた帯状の片１７ａと、帯状の片１６ａの中央部から帯状の片１７ａの一端部に向けて縦方向に延び、２つの片１６ａ、１７ａを連結している縦長の片１８ａ、を有する。
【００２５】
帯状の片１６ａの片面、つまり、図１０に示すように電子機器３に対向する面は、電子機器３のプラグ取り付け面に貼り付けて取り付けられる機器当接面を構成している。
【００２６】
帯状の片１７ａの片面は、図１１に示すようにプラグ２のプラグ部２１に巻き付けられるプラグ当接面を構成している。
【００２７】
また、他方のシート状の絶縁部材１ｂは、電子機器３の表面に張り付けられる横方向に延びた帯状の片１６ｂ、プラグ２の周囲に巻き付けられる横方向に延びた帯状の片１７ｂと、帯状の片１６ｂの中央部から帯状の片１７ｂの一端部に向けて縦方向に延び、２つの片１６ｂ、１７ｂを連結している縦長の片１８ｂ、を有する。
縦長の片１８ａと縦長の片１８ｂは丈（高さ）が異なり、縦長の片１８ａの丈（高さ）は、縦長の片１８ｂは丈（高さ）よりも大きく構成されている。
【００２８】
帯状の片１６ａ、１６ｂの片面、つまり、図１０、図１２に示すように電子機器３に対向する面は、電子機器３のプラグ取り付け面に取り付けられる機器当接面を構成している。
【００２９】
帯状の片１７ａ、１７ｂの片面は、図１１、図１３に示すようにプラグ２のプラグ部２１に巻き付けられるプラグ当接面を構成している。
【００３０】
本発明のプラグ抜け防止器具１（一対のシート状の絶縁部材１ａ、１ｂ）は、図１１、図１３に示すように帯状の片１６ａ、１６ｂの片面の機器当接面を電子機器３に接着して取り付け、帯状の片１７ａ、１７ｂの片面のプラグ当接面をプラグ２の周囲に巻き付けるように接着して取り付ける。これにより、プラグ２の電子機器３からの抜けを防止できるとともに、デザインを損ねることなく、製造コストの削減、作業工数の軽減、などを図ることができる。
【００３１】
本実施例によれば、プラグ抜け防止器具１（一対のシート状の絶縁部材１ａ、１ｂ）の電子機器当接面とプラグ当接面を繋ぐ接合箇所の丈（高さ）がある接合面を設け、丈（高さ）が異なる２つ以上の粘着部材から構成しているため、丈（高さ）の違いによって、２つ以上のプラグ抜け防止器具１のプラグ当接面が同一プラグの異なる箇所に巻き付けることが可能となり、プラグが外れにくいという効果を奏する。
【符号の説明】
【００３２】
１  プラグ抜け防止器具
１０  粘着絶縁部材（粘着シート、粘着テープ）
１１〜１８  片
２  プラグ
３  電子機器
【図１】
2019197638.tif 000003
【図２】
2019197638.tif 000004
【図３】
2019197638.tif 000005
【図４】
2019197638.tif 000006
【図５】
2019197638.tif 000007
【図６】
2019197638.tif 000008
【図７】
2019197638.tif 000009
【図８】
2019197638.tif 000010
【図９】
2019197638.tif 000011
【図１０】
2019197638.tif 000012
【図１１】
2019197638.tif 000013
【図１２】
2019197638.tif 000014
【図１３】
2019197638.tif 000015
【図１４】
2019197638.tif 000016
【図１５】
2019197638.tif 000017
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
プラグ抜け防止器具であって、
片面に粘着材が形成されたシート状の絶縁部材から構成され、
前記シート状の絶縁部材は、
電子機器の表面に貼り付けて取り付けられる横方向に延びた帯状の第１の片、プラグにおけるプラグ部の周囲に巻き付けるようにして貼り付けて取り付けられる横方向に延びた帯状の第２の片、前記第１の片の中央部から前記第２の片の一端部に向けて縦方向に延び、前記第１の片と前記第２の片を連結している丈を構成する縦長の第３の片、を有する
ことを特徴とするプラグ抜け防止器具。
【請求項２】
プラグ抜け防止器具であって、
片面に粘着材が形成されたシート状の絶縁部材から構成され、
前記シート状の絶縁部材は、
電子機器の表面に貼り付けられ長方形の片、当該長方形の片の一方から外側へ突き出るように構成され、プラグの周囲に巻き付けられる突出し片、を有し、
前記長方形の片は、
プラグが挿入される四角の貫通孔が形成され、
前記突出し片の両端面側から長方形の片へ延びる切込みが形成され、前記プラグを両サイドから挟むように構成される複数の機器当接面を構成し、
前記突出し片は、
中央部から２分割されるように前記長方形の片へ延びる切込みが形成され、前記プラグに巻き付けられるプラグ当接面を構成する
ことを特徴とするプラグ抜け防止器具。
【請求項３】
プラグ抜け防止器具であって、
片面に粘着材が形成され、かつ、一対のシート状の絶縁部材から構成され、
前記シート状の絶縁部材の一方は、
電子機器の表面に貼り付けて取り付けられる横方向に延びた帯状の第１の片、プラグにおけるプラグ部の周囲に巻き付けるようにして貼り付けて取り付けられる横方向に延びた帯状の第２の片、前記第１の片の中央部から前記第２の片の一端部に向けて縦方向に延び、前記第１の片と前記第２の片を連結している丈を構成する縦長の第３の片、を有し、
他方のシート状の絶縁部材は、
前記電子機器の表面に貼り付けて取り付けられる横方向に延びた帯状の第４の片、前記プラグにおけるプラグ部の周囲に巻き付けるようにして貼り付けて取り付けられる横方向に延びた帯状の第５の片、前記第４の片の中央部から第５の片の一端部に向けて縦方向に延び、前記第４の片、前記第５の片を連結している丈を構成する縦長の第６の片、を有し、
前記第３の片と前記第６の片は、丈が異なり、前記第３の片の丈は、前記第６の片の丈よりも大きく構成されている、
ことを特徴とするプラグ抜け防止器具。
【手続補正２】
【補正対象書類名】明細書
【補正対象項目名】０００５
【補正方法】変更
【補正の内容】
【０００５】
上記課題を解決するために、代表的な本発明のプラグ抜け防止器具の一つは、
プラグ抜け防止器具であって、
片面に粘着材が形成されたシート状の絶縁部材から構成され、
前記シート状の絶縁部材は、
電子機器の表面に貼り付けて取り付けられる横方向に延びた帯状の第１の片、プラグにおけるプラグ部の周囲に巻き付けるようにして貼り付けて取り付けられる横方向に延びた帯状の第２の片、前記第１の片の中央部から前記第２の片の一端部に向けて縦方向に延び、前記第１の片と前記第２の片を連結している丈を構成する縦長の第３の片、を有する
ことを特徴とする。
【手続補正３】
【補正対象書類名】明細書
【補正対象項目名】００１０
【補正方法】変更
【補正の内容】
【００１０】
プラグ抜け防止器具１は、片面に粘着材（接着面）が形成された粘着絶縁部材１０から構成されている。粘着絶縁部材１０は、例えば、粘着シートや粘着テープからなる。本例では、粘着絶縁部材１０を粘着シートとして説明する。
粘着シート（粘着絶縁部材１０）は、電子機器３の表面に貼り付けられる横方向に延びた短い帯状の片１１、プラグ２の周囲に巻き付けられる横方向に延びた長い帯状の片１２と、短い帯状の片１１の中央部から長い帯状の片１２の一端部に向けて縦方向に延び、２つの片１１、１２を連結している丈（高さ）を構成する接合片１３、を有する。
【手続補正４】
【補正対象書類名】明細書
【補正対象項目名】００１７
【補正方法】変更
【補正の内容】
【００１７】
同図において、プラグ抜け防止器具１は、実施例１と同様に、片面に粘着材が形成された粘着シート（粘着絶縁部材１０）から構成されている。そして、粘着シートは、電子機器３の表面に貼り付けられる長方形の片１４、長方形の片１４の一方から外側へ突き出るように構成された突出し片１５、を有する。
【手続補正５】
【補正対象書類名】明細書
【補正対象項目名】００２４
【補正方法】変更
【補正の内容】
【００２４】
プラグ抜け防止器具１は、実施例１、２と同様に、片面に粘着材が形成され、かつ、一対のシート状の絶縁部材１ａ、１ｂから構成されている。
一対のシート状の絶縁部材１ａ、１ｂは、例えば、図１０に示すような形に形成したあと、一点鎖線に沿って分断して構成するとよい。
そして、一方のシート状の絶縁部材１ａは、電子機器３の表面に貼り付けられる横方向に延びた帯状の片１６ａ、プラグ２の周囲に巻き付けられる横方向に延びた帯状の片１７ａと、帯状の片１６ａの中央部から帯状の片１７ａの一端部に向けて縦方向に延び、２つの片１６ａ、１７ａを連結している縦長の片１８ａ、を有する。
【手続補正６】
【補正対象書類名】明細書
【補正対象項目名】００２７
【補正方法】変更
【補正の内容】
【００２７】
また、他方のシート状の絶縁部材１ｂは、電子機器３の表面に貼り付けられる横方向に延びた帯状の片１６ｂ、プラグ２の周囲に巻き付けられる横方向に延びた帯状の片１７ｂと、帯状の片１６ｂの中央部から帯状の片１７ｂの一端部に向けて縦方向に延び、２つの片１６ｂ、１７ｂを連結している縦長の片１８ｂ、を有する。
縦長の片１８ａと縦長の片１８ｂは丈（高さ）が異なり、縦長の片１８ａの丈（高さ）は、縦長の片１８ｂは丈（高さ）よりも大きく構成されている。